【手続補正書】
【提出日】平成25年2月6日(2013.2.6)
【手続補正１】
【補正対象書類名】特許請求の範囲
【補正対象項目名】全文
【補正方法】変更
【補正の内容】
【特許請求の範囲】
【請求項１】
（１）パブリックネットワークとプライベートネットワークの間に位置するゲートウェイを介して、または直接的に前記パブリックネットワークにアクセスが可能な第一のコンピュータと、（２）前記パブリックネットワークに接続され、他のコンピュータからのアクセスが可能な第二のコンピュータと、（３）前記パブリックネットワークにアクセス可能な第三のコンピュータとを含むネットワーク構成において、第一のコンピュータと第三のコンピュータとの間の接続を提供する方法であって、
a)前記第一のコンピュータから前記第二のコンピュータに向けて送信される登録要求であって、前記第二のコンピュータが前記パブリックネットワークを介して第一のコンピュータを識別するための現在位置情報を含む当該登録要求を、前記第二のコンピュータが前記パブリックネットワーク、または前記プライベートネットワークおよび前記パブリックネットワークを介して周期的に又は断続的に受信するステップと、
b)前記第三のコンピュータと前記第一のコンピュータとの間の接続要求を、前記第三のコンピュータが前記パブリックネットワークを介して前記第二のコンピュータに送信し、これを前記第二のコンピュータが受信するステップと、
c)前記第二のコンピュータは、前記第三のコンピュータから受信した前記第一のコンピュータに対する接続要求に応答するため、
i)前記第三のコンピュータが接続要求の対象とする第一のコンピュータを前記周期的にまたは断続的に受信する前記登録要求から特定し、
ii)オペレーションパラメータを含む識別情報により、前記第一のコンピュータがパブリックネットワークからアクセス可能と判断される場合は、ステップi)で特定した登録要求に含まれる前記第一のコンピュータの現在位置情報を使用して前記第三のコンピュータを前記第一のコンピュータに転送し、
iii)オペレーションパラメータを含む識別情報により、前記第一のコンピュータが前記パブリックネットワークからアクセス不可能と判断される場合は、前期第二のコンピュータのプロキシ機能により、第三のコンピュータと第一のコンピュータの間にひとつのコネクションを設立し、
これにより、前記第一のコンピュータと前記第三のコンピュータとの接続を提供する方法。
【請求項２】
前記パブリックネットワークに２以上の前記第二のコンピュータが接続される、請求項１に記載の方法。
【請求項３】
（１）パブリックネットワークとプライベートネットワークの間に位置するゲートウェイを介して、または直接的に前記パブリックネットワークにアクセスが可能な第一のコンピュータと、（２）前記パブリックネットワークに接続され、他のコンピュータからのアクセスが可能な第二のコンピュータと、（３）前記パブリックネットワークにアクセス可能な第三のコンピュータとを含むネットワーク構成において、第一のコンピュータと第三のコンピュータとの間の接続を提供させるシステムであって、
前記第一のコンピュータが
前記第一のコンピュータを識別するための現在位置情報を含む登録要求を、前記パブリックネットワーク、または前記プライベートネットワークおよび前記パブリックネットワークを介して前記第二のコンピュータに向けて送信する手段とを有し、
前記第二のコンピュータが、
前記登録要求を周期的に又は断続的に受信する手段と、
前記登録要求を受信した後、前記第三のコンピュータと前記第一のコンピュータとの間の接続要求を前記パブリックネットワークを介して前記第三のコンピュータから受信する手段とを有し、
前記第三のコンピュータが、
前記パブリックネットワークを介して前記接続要求を前記第二のコンピュータに送信する手段とを有し、
前記第二のコンピュータは、前記第三のコンピュータから受信した前記第一のコンピュータに対する接続要求に応答するため、
i)前記第三のコンピュータが接続要求の対象とする第一のコンピュータを前記周期的にまたは断続的に受信する前記登録要求から特定し、
ii)オペレーションパラメータを含む識別情報により、前記第一のコンピュータがパブリックネットワークからアクセス可能と判断される場合は、ステップi)で特定した登録要求に含まれる前記第一のコンピュータの現在位置情報を使用して前記第三のコンピュータを前記第一のコンピュータに転送し、
iii)オペレーションパラメータを含む識別情報により、前記第一のコンピュータがパブリックネットワークからアクセス不可能と判断される場合は前、前期第二のコンピュータのプロキシ機能により、第三のコンピュータと第一のコンピュータの間にひとつのコネクションを設立し、
これにより、前記第一のコンピュータと前記第三のコンピュータとの接続を提供するシステム。
【請求項４】
前記パブリックネットワークに２以上の前記第二のコンピュータが接続される、請求項３に記載のシステム。
【請求項５】
（１）パブリックネットワークとプライベートネットワークの間に位置するゲートウェイを介して、または直接的に前記パブリックネットワークにアクセスが可能な第一のコンピュータと、（２）前記パブリックネットワークに接続され、他のコンピュータからのアクセスが可能な第二のコンピュータと、（３）前記パブリックネットワークにアクセス可能な第三のコンピュータとを含むネットワーク構成において、第一のコンピュータと第三のコンピュータとの間の接続を提供するためのプログラムであって、
前記第一のコンピュータに、
前記第一のコンピュータを識別するための現在位置情報を含む登録要求を、前記パブリックネットワーク、または前記プライベートネットワークおよび前記パブリックネットワークを介して前記第二のコンピュータに向けて送信する処理を実行させ、
前記第二のコンピュータに、
前記登録要求を周期的に又は断続的に受信する処理と、
前記登録要求を受信した後、前記第三のコンピュータと前記第一のコンピュータとの間の接続要求を前記パブリックネットワークを介して前記第三のコンピュータから受信する処理とを実行させ、
前記第三のコンピュータに、
前記パブリックネットワークを介して前記接続要求を前記第二のコンピュータに送信する処理を実行させ、更に、
前記第二のコンピュータは、前記第三のコンピュータから受信した前記第一のコンピュータに対する接続要求に応答するため、
前記第二のコンピュータに、
i)前記第三のコンピュータが接続要求の対象とする第一のコンピュータを前記周期的にまたは断続的に受信する前記登録要求から特定する処理と、
ii)オペレーションパラメータを含む識別情報により、前記第一のコンピュータがパブリックネットワークからアクセス可能と判断される場合は、ステップi)で特定した登録要求に含まれる前記第一のコンピュータの現在位置情報を使用して前記第三のコンピュータを前記第一のコンピュータに転送する処理と、
iii)オペレーションパラメータを含む識別情報により、前記第一のコンピュータがパブリックネットワークからアクセス不可能と判断される場合は、前期第二のコンピュータのプロキシ機能により、第三のコンピュータと第一のコンピュータの間にひとつのコネクションを設立する処理とを実行させ、
これにより、前記第一のコンピュータと前記第三のコンピュータとの接続が提供されるようにするプログラム。
【請求項６】
前記パブリックネットワークに２以上の前記第二のコンピュータが接続された構成で前記各処理が実行される、請求項５に記載のプログラム。